【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
ポリオールエステル、酸化防止剤、少なくとも１種の充填材、高粘度油、界面活性剤、ポリマーおよび溶媒を含む熱伝達性コンパウンド。
【請求項２】
ポリオールエステルおよび酸化防止剤がプレブレンドを形成し、ここでポリオールエステルがプレブレンドの約99wt％を構成し、そして酸化防止剤がプレブレンドの約１wt％を構成する、請求項１に記載のコンパウンド。
【請求項３】
プレブレンドがコンパウンドの約８〜12wt％の量で存在する、請求項２に記載のコンパウンド。
【請求項４】
少なくとも１種の充填材がコンパウンドの約65〜80wt％の量で存在する、請求項１に記載のコンパウンド。
【請求項５】
溶媒がナフサ、ヘキサンおよびヘプタンの１つであり、コンパウンドの約１wt％の量で存在する、請求項１に記載のコンパウンド。
【請求項６】
高粘度油がポリイソブテンであり、コンパウンドの約2.25〜5.5wt％の量で存在する、請求項１に記載のコンパウンド。
【請求項７】
界面活性剤がポリグリコールエーテルであり、コンパウンドの約0.2wt％の量で存在する、請求項１に記載のコンパウンド。
【請求項８】
ポリマーがポリスチレンをベースとするポリマーであり、コンパウンドの約2.7〜3.3wt％の量で存在する、請求項１に記載のコンパウンド。
【請求項９】
ポリオールエステル、酸化防止剤、少なくとも１種の充填材、高粘度油およびケイ酸アルミニウムを含む、熱伝達性コンパウンド。
【請求項１０】
ポリオールエステルおよび酸化防止剤がプレブレンドを形成し、ポリオールエステルがプレブレンドの約99wt％を構成し、そして酸化防止剤がプレブレンドの約１wt％を構成する、請求項９に記載のコンパウンド。
【請求項１１】
プレブレンドがコンパウンドの約10〜12wt％の量で存在する、請求項１０に記載のコンパウンド。
【請求項１２】
少なくとも１種の充填材が酸化亜鉛および酸化マグネシウムから選択される、請求項９に記載のコンパウンド。
【請求項１３】
酸化亜鉛がコンパウンドの約18〜22wt％の量で存在し、そして酸化マグネシウムが約55〜67wt％の量で存在する、請求項１２に記載のコンパウンド。
【請求項１４】
高粘度油がポリイソブテンであり、コンパウンドの約2.25〜2.75wt％の量で存在する、請求項９に記載のコンパウンド。
【請求項１５】
ケイ酸アルミニウムがコンパウンドの約4.68〜5.72wt％の量で存在する、請求項９に記載のコンパウンド。
【請求項１６】
下記成分を含んでなる熱グリースコンパウンド：
コンパウンドの約８〜10wt％を表すプレブレンドに混合されたポリオールエステルおよび酸化防止剤；
コンパウンドの約65〜80wt％の量の酸化亜鉛；
コンパウンドの約4.5〜5.5wt％の量の高粘度油；
コンパウンドの約0.2wt％の量の界面活性剤；
コンパウンドの約３wt％の量のポリスチレンをベースとするポリマー；および
コンパウンドの約１wt％の量の溶媒。
【請求項１７】
ポリオールエステルがプレブレンドの約99wt％を構成し、そして酸化防止剤が約１wt％を構成する、請求項１６に記載のコンパウンド。
【請求項１８】
下記成分を含んでなる熱グリースコンパウンド：
コンパウンドの約10〜12wt％を表すプレブレンドに混合されたポリオールエステルおよび酸化防止剤；
コンパウンドの約18〜22wt％の量の酸化亜鉛および約55〜67wt％の酸化マグネシウムの少なくとも1つ；
コンパウンドの約2.5〜2.75wt％の量の高粘度油；および
コンパウンドの約4.68〜5.72wt％の量のケイ酸アルミニウム。
【請求項１９】
ポリオールエステルがプレブレンドの約99wt％を構成し、そして酸化防止剤が約１wt％を構成する、請求項１８に記載のコンパウンド。
【請求項２０】
ポリオールエステル、酸化防止剤、少なくとも１種の充填材、高粘度油、界面活性剤、ポリマーおよび溶媒から作られた熱伝導性コンパウンドと、前記コンパウンドをその少なくとも１つの表面上に有する熱伝導性シートとを含む熱界面材料。
【請求項２１】
シートがアルミニウムフィルムおよびポリイミドフィルムの１つである、請求項２０に記載の材料。
【請求項２２】
シートが電気絶縁性である、請求項２０に記載の材料。
【請求項２３】
シートの少なくとも１つの表面上のコンパウンドを被覆するライナーをさらに含む、請求項２０に記載の材料。
【請求項２４】
下記工程を含む熱伝導性コンパウンドを形成する方法：
プレブレンドの約99wt％の量のポリオールエステルとプレブレンドの約１wt％の量の酸化防止剤とを混合することによってプレブレンドを形成し、前記プレブレンドはコンパウンドの約8〜10wt％を構成し；
コンパウンドの約65〜80wt％の量の酸化亜鉛を添加し；
約4.5〜5.5wt％の量の高粘度油を添加し；
約0.2wt％の量の界面活性剤を添加し；
約３wt％の量のポリスチレンをベースとするポリマーを添加し；そして
約１wt％の量のナフサ溶媒を添加する。
【請求項２５】
請求項２４に記載の方法により製造された製品。
【請求項２６】
下記工程を含む熱伝導性コンパウンドを形成する方法：
ポリオールエステルと酸化防止剤とを混合することによってプレブレンドを形成し、前記プレブレンドはコンパウンドの約10〜12wt％を構成し；
コンパウンドの約18〜22wt％の量の酸化亜鉛およびコンパウンドの約55〜67wt％の量の酸化マグネシウムの少なくとも１つをプレブレンドに添加し；
約2.5〜5.5wt％の量の高粘度油を添加し；そして
コンパウンドの約５wt％の量のケイ酸アルミニウムを添加する。
【請求項２７】
請求項２６に記載の方法により製造された製品。
【請求項２８】
約0.02〜0.04℃in2/Wの熱抵抗を有する乾燥熱グリース。
【請求項２９】
下記工程を含む電子構成部品アセンブリーのための熱界面材料を提供する方法：
a)第１表面を有する熱発生電子構成部品を準備し；
b)第１表面と相接すべき第２表面を有する支持体を準備し；そして
c)請求項１に記載の製造されたコンパウンドを第１表面と第２表面との間に配置して、コンパウンドと支持体との間の熱伝達を実現する。
【請求項３０】
熱グリースを第１および第２の取り付け表面の少なくとも１つ上にスプレーすることによって、コンパウンドを配置する、請求項２９に記載の方法。
【請求項３１】
第１および第２の表面の少なくとも１つの上にグリースをスクリーン印刷することによって、コンパウンドを配置する、請求項２９に記載の方法。
【請求項３２】
下記工程によりコンパウンドを配置する、請求項２９に記載の方法：
a)第１の熱伝導性シートの対向する表面上にコンパウンドの比較的薄い層を配置して積層体を形成し；
b)積層体を第１および第２の表面に対応する形状に切断し；そして
c)第１および第２の表面との間に切断した積層体を配置する。
【請求項３３】
切断前に、コンパウンドの上にライナーを配置することをさらに含む、請求項３２に記載の方法。
【請求項３４】
下記工程を含む電子構成部品アセンブリーのための熱界面材料を準備する方法：
a)第１表面を有する熱発生電子構成部品を準備し；
b)第１表面と相接すべき第２表面を有する支持体を準備し；そして
c)請求項９に記載の製造されたコンパウンドを第１表面と第２表面との間に配置して、コンパウンドと支持体との間の熱伝達を実現する。
【請求項３５】
熱グリースを下記工程により配置する請求項３４に記載の方法：
a)第１表面と第２表面との間のギャップに適合するようにコンパウンドのブロックを形成し；
b)第１表面と第２表面との間のギャップの中にブロックを配置し；そして
c)コンパウンドと支持体の少なくとも1つに圧力を加える。
【請求項３６】
約0.02〜0.04℃in2/Wの熱抵抗を有する、請求項１８に記載の熱グリースコンパウンド。
【請求項３７】
ポリオールエステル、酸化防止剤、少なくとも１種の充填材、高粘度油、界面活性剤、ポリスチレンをベースとするポリマーおよび溶媒を含む、熱伝達性コンパウンド。
【請求項３８】
ポリスチレンをベースとするポリマーがコンパウンドの約2.7〜3.3wt％の量で存在する、請求項３７に記載の熱伝達コンパウンド。
【請求項３９】
ポリオールエステル、酸化防止剤、少なくとも１種の充填材、高粘度油、界面活性剤、ポリスチレンをベースとするポリマーおよび溶媒を含む、非水溶性熱伝達性コンパウンド。
【請求項４０】
ポリオールエステル、酸化防止剤、少なくとも１種の充填材、高粘度油およびケイ酸アルミニウムを含む、非水溶性熱伝達性コンパウンド。
【請求項４１】
下記成分を含む非水溶性熱グリースコンパウンド：
コンパウンドの約８〜10wt％を表すプレブレンドに混合されたポリオールエステルおよび酸化防止剤；
コンパウンドの約65〜80wt％の量の酸化亜鉛；
コンパウンドの約4.5〜5.5wt％の量の高粘度油；
コンパウンドの約0.2wt％の量の界面活性剤；
コンパウンドの約３wt％の量のポリスチレンをベースとするポリマー；そして
コンパウンドの約１wt％の量の溶媒。
【請求項４２】
下記成分を含む非水溶性熱グリースコンパウンド：
コンパウンドの約10〜12wt％を表すプレブレンドに混合されたポリオールエステルおよび酸化防止剤；
コンパウンドの約18〜22wt％の量の酸化亜鉛および約55〜67wt％の酸化マグネシウムの少なくとも１つ；
コンパウンドの約2.5〜2.75wt％の量の高粘度油；および
約4.68〜5.72wt％の量の界面活性剤。
【請求項４３】
ポリオールエステル、酸化防止剤、少なくとも１種の充填材、高粘度油、界面活性剤、ポリマーおよび溶媒から作られた熱伝導性コンパウンドと、前記コンパウンドをその少なくとも１つの表面上に有する熱伝導性シートとを含む、非水溶性熱界面材料。
【請求項４４】
下記工程を含む、熱界面材料を形成する方法：
ポリオールエステル、酸化防止剤、少なくとも１種の充填材、高粘度油、界面活性剤、ポリマーおよび溶媒から熱伝導性コンパウンドを形成し；
熱伝導性シートの少なくとも１つの表面を前記コンパウンドで被覆し；
溶媒の少なくとも一部分を蒸発させ；そして
溶媒をその上に有するシートを熱発生装置とヒートシンクとの間に配置する。
【請求項４５】
下記工程を含む、熱界面材料を形成する方法：
ポリオールエステル、酸化防止剤、少なくとも１種の充填材、高粘度油、界面活性剤、ポリマーおよび溶媒から熱伝導性コンパウンドを形成し；
熱伝導性シートの少なくとも１つの表面を前記コンパウンドで被覆してフィルムを形成し；
溶媒の少なくとも一部分を蒸発させ；そして
前記フィルム上に第２シートを配置する。
【請求項４６】
下記工程をさらに含む、請求項４５に記載の方法：
第２シートを除去し；そして
熱発生装置とヒートシンクとの間に第１シートを配置する。
【請求項４７】
下記工程を含む、熱発生コンパウンド上に熱界面材料を提供する方法：
a)熱発生コンパウンドに第１表面を形成し；
b)熱発生コンパウンドの第１表面を取り付けるべき第２表面を熱放散コンパウンド上に形成し；そして
c)ポリオールエステルを含む熱界面材料を第１および第２の表面の間に配置して、熱発生コンパウンドから熱放散コンパウンドへの熱伝達を実現する。
【請求項４８】
第１および第２の表面の少なくとも１つ上に材料をスプレーすることによって、配置工程を実施する、請求項４７に記載の方法。
【請求項４９】
下記工程により配置工程を実施する、請求項４７に記載の方法：
a)第１および第２の表面間のギャップに適合するように材料のブロックを造形し；そして
b)第１および第２の表面の間に前記ブロックを配置する。
【請求項５０】
下記工程により配置工程を実施する、請求項４７に記載の方法：
a)熱伝導性箔シート上に材料の比較的薄い層を配置し；
b)材料および箔シートを第１および第２の表面の１つの形状に切断し；そして
c)材料および箔を第１および第２の表面の前記１つに取り付ける。
【請求項５１】
ポリオールエステル、酸化防止剤、少なくとも１種の充填材、高粘度油、界面活性剤、ポリマーおよび溶媒から本質的に成る、熱伝達性コンパウンド。
【請求項５２】
ポリオールエステル、酸化防止剤、少なくとも１種の充填材、高粘度油およびケイ酸アルミニウムから本質的に成る、熱伝達性コンパウンド。
【請求項５３】
下記成分から本質的に成る、熱グリースコンパウンド：
コンパウンドの８〜10wt％を表すプレブレンドに混合されたポリオールエステルおよび酸化防止剤；
コンパウンドの約65〜80wt％の量の酸化亜鉛；
コンパウンドの約4.5〜5.5wt％の量の高粘度油；
コンパウンドの約2.0wt％の量の界面活性剤；
コンパウンドの約３wt％の量のポリスチレンをベースとするポリマー；および
コンパウンドの約１wt％の量の溶媒。
【請求項５４】
下記成分から本質的に成る、熱グリースコンパウンド：
コンパウンドの約10〜12wt％を表すプレブレンド中のポリオールエステルおよび酸化防止剤；
コンパウンドの約18〜22wt％の量の酸化亜鉛および約55〜67wt％の酸化マグネシウムの少なくとも１つ；
コンパウンドの約2.5〜2.75wt％の量の高粘度油；および
約4.68〜5.72wt％のケイ酸アルミニウム。
【請求項５５】
ポリオールエステル、酸化防止剤、少なくとも１種の充填材、高粘度油、界面活性剤、ポリマーおよび溶媒から作られた熱伝導性コンパウンドと、前記コンパウンドをその少なくとも１つの表面上に有する熱伝導性シートとから本質的に成る、熱界面材料。
【請求項５６】
ポリオールエステル、酸化防止剤、少なくとも１種の充填材、高粘度油、界面活性剤、ポリスチレンをベースとするポリマーおよび溶媒から本質的に成る、熱伝達性コンパウンド。
【請求項５７】
ポリオールエステル、酸化防止剤、少なくとも１種の充填材、高粘度油、界面活性剤、ポリマーおよび溶媒から本質的に成る、非水溶性熱伝達性コンパウンド。
【請求項５８】
ポリオールエステル、酸化防止剤、少なくとも１種の充填材、高粘度油およびケイ酸アルミニウムから本質的に成る、非水溶性熱伝達性コンパウンド。
【請求項５９】
下記成分から本質的に成る、非水溶性熱グリースコンパウンド：
コンパウンドの約８〜10wt％を表すプレブレンドに混合されたポリオールエステルおよび酸化防止剤；
コンパウンドの約65〜80wt％の量の酸化亜鉛；
コンパウンドの約4.5〜5.5wt％の量の高粘度油；
コンパウンドの約0.2wt％の量の界面活性剤；
コンパウンドの約３wt％の量のポリスチレンをベースとするポリマー；および
コンパウンドの約１wt％の量の溶媒。
【請求項６０】
下記成分から本質的に成る、非水溶性熱グリースコンパウンド：
コンパウンドの約10〜12wt％を表すプレブレンドに混合されたポリオールエステルおよび酸化防止剤；
コンパウンドの約18〜22wt％の量の酸化亜鉛およびコンパウンドの約55〜67wt％の量の酸化マグネシウムの少なくとも１つ；
コンパウンドの約2.5〜2.75wt％の量の高粘度油；および
約4.68〜5.72wt％のケイ酸アルミニウム。
【請求項６１】
ポリオールエステル、酸化防止剤、少なくとも１種の充填材、高粘度油、界面活性剤、ポリマーおよび溶媒から作られた熱伝導性コンパウンドと、前記コンパウンドをその少なくとも１つの表面上に有する熱伝導性シートとから本質的に成る、非水溶性熱界面材料。